(57)【要約】  切断後に、センサ体全体に占める不感エリアの割合が小さく、検出不可能な検出部が発生しにくいセンサシートおよび静電容量型センサを提供することを課題とする。センサシート（１）は、複数の検出部（Ａ（１，１）〜Ａ（４，４））が設定される感圧エリア（Ｄ）と、感圧エリア（Ｄ）の面方向隣りに配置され取出部（５）を有する不感エリア（Ｅ）と、を備える。検出部（Ａ（１，１）〜Ａ（４，４））と取出部（５）との間には、表側ジャンパー配線層（１ｘ〜４ｘ）を経由する表側検出経路（Ｂ）と、裏側ジャンパー配線層（１ｙ〜４ｙ）を経由する裏側検出経路（Ｃ）と、が設定される。センサシート（１）は、少なくとも一つの検出部（Ａ（１，１）〜Ａ（４，４））と、取出部（５）と、当該検出部（Ａ（１，１）〜Ａ（４，４））用の表側検出経路（Ｂ）および裏側検出経路（Ｃ）と、を有するセンサ体（Ｆ）を確保した状態で、切断可能である。
2017146142.tif 000002
【特許請求の範囲】
【請求項１】
誘電層と、該誘電層の表側に配置される表側電極層と、該誘電層の裏側に配置される裏側電極層と、を有し、表側または裏側から見て該表側電極層と該裏側電極層とが重複する部分に複数の検出部が設定される感圧エリアと、
該感圧エリアの面方向隣りに配置され、複数の該検出部の静電容量に関する電気量を外部から取り出し可能な取出部を有する不感エリアと、
を備えるセンサシートであって、
前記表側電極層の表側に配置され、自身を表裏方向に貫通する表側貫通孔を有する表側絶縁層と、
前記裏側電極層の裏側に配置され、自身を表裏方向に貫通する裏側貫通孔を有する裏側絶縁層と、
該表側絶縁層の表側に配置され、該表側貫通孔を介して、該表側電極層と前記取出部とを電気的に接続する表側ジャンパー配線層と、
該裏側絶縁層の裏側に配置され、該裏側貫通孔を介して、該裏側電極層と該取出部とを電気的に接続する裏側ジャンパー配線層と、
を備え、
複数の前記検出部の各々と該取出部との間には、少なくとも該表側ジャンパー配線層を経由する表側検出経路と、少なくとも該裏側ジャンパー配線層を経由する裏側検出経路と、が設定され、
少なくとも一つの該検出部と、該取出部と、該検出部用の該表側検出経路および該裏側検出経路と、を有するセンサ体を確保した状態で、切断可能であることを特徴とするセンサシート。
【請求項２】
表側または裏側から見て、複数の前記表側電極層と複数の前記裏側電極層とは、互いに交差する方向に延在し、
前記表側ジャンパー配線層と該表側電極層との接点を表側接点、前記裏側ジャンパー配線層と該裏側電極層との接点を裏側接点として、
表側または裏側から見て、前記取出部に最も近い該表側電極層に重複するように、複数の該裏側接点は配置され、
表側または裏側から見て、該取出部に最も近い該裏側電極層に重複するように、複数の該表側接点は配置される請求項１に記載のセンサシート。
【請求項３】
前記表側ジャンパー配線層と前記表側電極層との接点を表側接点、前記裏側ジャンパー配線層と前記裏側電極層との接点を裏側接点として、
該表側接点および該裏側接点は、全ての前記検出部に個別に配置される請求項１に記載のセンサシート。
【請求項４】
前記不感エリアは、複数の前記取出部を有する請求項１ないし請求項３のいずれかに記載のセンサシート。
【請求項５】
表側または裏側から見て、複数の前記表側電極層と複数の前記裏側電極層とは、互いに交差する方向に延在し、
前記表側ジャンパー配線層と該表側電極層との接点を表側接点、前記裏側ジャンパー配線層と該裏側電極層との接点を裏側接点として、
表側または裏側から見て、複数の該裏側接点は、自身が電気的に接続されている前記取出部に最も近い該表側電極層に重複するように、配置され、
該表側電極層の幅方向両縁のうち、該取出部に近い方の縁を近縁として、
複数の該裏側接点は、該近縁に沿って配置されている請求項１ないし請求項４のいずれかに記載のセンサシート。
【請求項６】
表側または裏側から見て、複数の前記表側電極層と複数の前記裏側電極層とは、互いに交差する方向に延在し、
前記表側ジャンパー配線層と該表側電極層との接点を表側接点、前記裏側ジャンパー配線層と該裏側電極層との接点を裏側接点として、
表側または裏側から見て、複数の該表側接点は、自身が電気的に接続されている前記取出部に最も近い該裏側電極層に重複するように、配置され、
該裏側電極層の幅方向両縁のうち、該取出部に近い方の縁を近縁として、
複数の該表側接点は、該近縁に沿って配置されている請求項１ないし請求項５のいずれかに記載のセンサシート。
【請求項７】
表側または裏側から見て、複数の前記表側電極層と複数の前記裏側電極層とは、互いに交差する方向に延在し、
任意の前記取出部に電気的に接続されている全ての前記表側ジャンパー配線層および前記裏側ジャンパー配線層を、共通配線群として、
該共通配線群は、全ての該表側ジャンパー配線層および該裏側ジャンパー配線層が互いに平行に並ぶ並列部を有し、
該並列部の延在方向一方には、該並列部が連なる該取出部が配置され、
該並列部の延在方向他方には、該並列部と同方向に延在する該表側電極層または該裏側電極層である基準電極層が配置され、
該並列部の幅は、該基準電極層の幅以下である請求項１ないし請求項６のいずれかに記載のセンサシート。
【請求項８】
前記センサ体を切り取り可能である請求項１ないし請求項７のいずれかに記載のセンサシート。
【請求項９】
前記センサ体は、スリットを備える前記センサシートである請求項１ないし請求項８のいずれかに記載のセンサシート。
【請求項１０】
請求項８または請求項９に記載のセンサ体と、
前記取出部に電気的に接続される制御部と、
を備える静電容量型センサ。
【請求項１１】
前記制御部は、前記センサ体が、部分的に切り取られた前記検出部を有する場合、該検出部の静電容量に関する電気量を補正する請求項１０に記載の静電容量型センサ。
【発明の詳細な説明】
【技術分野】
【０００１】
本発明は、切断可能なセンサシート、および当該センサシートから取得されたセンサ体を備える静電容量型センサに関する。
【背景技術】
【０００２】
図１５に、従来の静電容量型センサ（例えば、特許文献１参照）の透過上面図を示す。なお、誘電層よりも裏側に配置されている部材は、点線で示す。図１５に示すように、コネクタ１０６は、静電容量型センサ１００の左前隅に配置されている。４本の表側電極層１０２は、各々、左右方向に延在している。４本の表側配線層１０３は、４本の表側電極層１０２の左端と、コネクタ１０６と、を連結している。表側配線層１０３と表側電極層１０２とは、面方向に並んで配置されている。４本の裏側電極層１０４は、各々、前後方向に延在している。４本の裏側配線層１０５は、４本の裏側電極層１０４の前端と、コネクタ１０６と、を連結している。裏側配線層１０５と裏側電極層１０４とは、面方向に並んで配置されている。【０００３】
誘電層は、表側電極層１０２および表側配線層１０３と、裏側電極層１０４および裏側配線層１０５と、の間に介在している。図１５にハッチングで示すように、４本の表側電極層１０２と、４本の裏側電極層１０４と、の重複部分には、合計１６個の検出部１０７が設定されている。
【先行技術文献】
【特許文献】
【０００４】
【特許文献１】特開２０１３−２００２２９号公報
【発明の概要】
【発明が解決しようとする課題】
【０００５】
ところで、静電容量型センサ１００の用途、センサ配置場所の形状や面積により、静電容量型センサ１００の形状、面積等（以下、「形状等」と略称する。）は異なる。このため、例えばスクリーン印刷により静電容量型センサ１００を製造する場合、静電容量型センサ１００の形状等に応じて、専用のスクリーンマスク等を設計、作製する必要がある。【０００６】
そこで、本発明者は、静電容量型センサ１００の形状等に応じて、静電容量型センサ１００の一部を切り取って使用する方法を考えた。図１６に、図１５に示す静電容量型センサから切り取られた静電容量型センサの透過上面図を示す。【０００７】
図１６に一点鎖線ハッチングで示すように、静電容量型センサ１００の一部を切り取って使用する場合、切り取り後の静電容量型センサ１００全体に占める、不感エリア１１１（表側電極層１０２、裏側電極層１０４が配置されていないエリア）の割合が大きくなってしまう。【０００８】
また、切り取り形状によっては、表側電極層１０２、表側配線層１０３、裏側電極層１０４、裏側配線層１０５のうち、少なくとも一つが切断されてしまう場合がある。このため、図１６に点線ハッチングで示すように、コネクタ１０６との導通が遮断される検出部１０７、すなわち検出不可能な検出部１０７が発生しやすくなる。また、静電容量型センサ１００の一部を切り取らないものの、静電容量型センサ１００にスリット（切り込み）を入れて使用する場合も、同様に、検出不可能な検出部１０７が発生しやすくなる。【０００９】
そこで、本発明は、切断後に検出不可能な検出部が発生しにくいセンサシート、および当該センサシートから取得されたセンサ体を備える静電容量型センサを提供することを目的とする。
【課題を解決するための手段】
【００１０】
上記課題を解決するため、本発明のセンサシートは、誘電層と、該誘電層の表側に配置される表側電極層と、該誘電層の裏側に配置される裏側電極層と、を有し、表側または裏側から見て該表側電極層と該裏側電極層とが重複する部分に複数の検出部が設定される感圧エリアと、該感圧エリアの面方向隣りに配置され、複数の該検出部の静電容量に関する電気量を外部から取り出し可能な取出部を有する不感エリアと、を備えるセンサシートであって、前記表側電極層の表側に配置され、自身を表裏方向に貫通する表側貫通孔を有する表側絶縁層と、前記裏側電極層の裏側に配置され、自身を表裏方向に貫通する裏側貫通孔を有する裏側絶縁層と、該表側絶縁層の表側に配置され、該表側貫通孔を介して、該表側電極層と前記取出部とを電気的に接続する表側ジャンパー配線層と、該裏側絶縁層の裏側に配置され、該裏側貫通孔を介して、該裏側電極層と該取出部とを電気的に接続する裏側ジャンパー配線層と、を備え、複数の前記検出部の各々と該取出部との間には、少なくとも該表側ジャンパー配線層を経由する表側検出経路と、少なくとも該裏側ジャンパー配線層を経由する裏側検出経路と、が設定され、少なくとも一つの該検出部と、該取出部と、該検出部用の該表側検出経路および該裏側検出経路と、を有するセンサ体を確保した状態で、切断可能であることを特徴とする。【００１１】
ここで、「切断」には、「センサシートからセンサ体を切り取る（切り離す）形態」が含まれる。すなわち、切断前のセンサシートの面積よりも、切断後のセンサ体の面積の方が、小さい形態が含まれる。また、「切断」には、「センサシートにスリットを入れる形態（センサシートからセンサ体を切り取らない（切り離さない）形態」が含まれる。すなわち、切断前のセンサシートの面積と、切断後のセンサ体の面積と、が等しい形態が含まれる。【００１２】
また、本発明の静電容量型センサは、前記センサ体と、前記取出部に電気的に接続される制御部と、を備えることを特徴とする。
【発明の効果】
【００１３】
センサ体は、少なくとも一つの検出部と、取出部と、当該検出部用の表側検出経路および裏側検出経路と、を備えている。このため、所定の形状等のセンサシートから、任意の形状等のセンサ体、つまり静電容量型センサを、取得することができる。したがって、形状等が異なる複数の静電容量型センサが必要な場合であっても、所望の静電容量型センサの形状等に応じて、逐一、当該静電容量型センサ専用の部材（例えば、印刷により静電容量型センサを作製する場合は印刷用の版、成形により静電容量型センサを作製する場合は成形用の金型など）を設計、作製する必要がない。すなわち、所望の静電容量型センサの形状等に応じて、センサシートを切断するだけで済む。例えば、センサシートからセンサ体を切り取るだけで済む。あるいは、センサシートにスリットを入れるだけで済む。このため、静電容量型センサの製造コストを削減することができる。特に、少量多品種の静電容量型センサを製造する場合、あるいは静電容量型センサの試作品を製造する場合、製造コストを削減することができる。【００１４】
また、本発明のセンサシートの場合、表側ジャンパー配線層は、表側貫通孔を介して、表側から表側電極層に接続されている。同様に、裏側ジャンパー配線層は、裏側貫通孔を介して、裏側から裏側電極層に接続されている。このため、切断後（例えば、切り取り後、スリット形成後）のセンサ体において、検出不可能な検出部が発生しにくい。したがって、センサ体の切断形状（例えば、切り取り形状、スリット形状）の自由度を高くすることができる。【００１５】
また、本発明のセンサシートの場合、表側絶縁層を挟んで、表側ジャンパー配線層と、表側電極層と、を表裏方向に重複して配置することができる。同様に、裏側絶縁層を挟んで、裏側ジャンパー配線層と、裏側電極層と、を表裏方向に重複して配置することができる。このため、センサシート全体に占める不感エリアの割合を小さくすることができる。すなわち、切り取り後のセンサ体全体に占める不感エリアの割合を小さくすることができる。【００１６】
また、本発明の静電容量型センサによると、センサシートから取得されたセンサ体の取出部から、検出部の静電容量に関する電気量を、制御部に送信することができる。また、例えば、センサ体が部分的に切り取られた前記検出部を有する場合、制御部は、部分的に切り取られた検出部の静電容量に関する電気量を、補正することができる。このため、静電容量型センサの検出精度を高くすることができる。
【図面の簡単な説明】
【００１７】
【図１】図１は、第一実施形態のセンサシートの透過上面図である。
【図２】図２は、図１のＩＩ−ＩＩ方向断面図である。
【図３】図３は、同センサシートの表側電極ユニットの分解斜視図である。
【図４】図４は、同センサシートの裏側電極ユニットの分解斜視図である。
【図５】図５（ａ）〜（ｄ）は、図１に示すセンサシートから切り取られたセンサ体（その１〜その４）を備える静電容量型センサの透過上面図である。
【図６】図６は、第二実施形態のセンサシートの透過上面図である。
【図７】図７は、第三実施形態のセンサシートの透過上面図である。
【図８】図８は、図７の枠ＶＩＩＩ内の拡大図である。
【図９】図９（ａ）、（ｂ）は、図７に示すセンサシートから切り取られたセンサ体（その１、その２）を備える静電容量型センサの透過上面図である。
【図１０】図１０は、第四実施形態のセンサシートの透過上面図である。
【図１１】図１１は、同センサシートの表側電極ユニットの透過上面図である。
【図１２】図１２は、同センサシートの裏側電極ユニットの透過上面図である。
【図１３】図１３は、第四実施形態の静電容量型センサの配置図である。
【図１４】図１４は、その他の実施形態のセンサシートの透過上面図である。
【図１５】図１５は、従来の静電容量型センサの透過上面図である。
【図１６】図１６は、図１５に示す静電容量型センサから切り取られた静電容量型センサの透過上面図である。
【発明を実施するための形態】
【００１８】
以下、本発明のセンサシートおよび静電容量型センサの実施の形態について説明する。以下の図においては、上側が本発明の「表側」に、下側が本発明の「裏側」に、各々対応している。また、前後左右のうち少なくとも一方向が、本発明の「面方向」に対応している。
【００１９】
＜第一実施形態＞
［センサシートの構成］
まず、本実施形態のセンサシートの構成について説明する。図１に、本実施形態のセンサシートの透過上面図を示す。図２に、図１のＩＩ−ＩＩ方向断面図を示す。図３に、同センサシートの表側電極ユニットの分解斜視図を示す。図４に、同センサシートの裏側電極ユニットの分解斜視図を示す。なお、図１においては、裏側電極ユニットを点線で示す。
【００２０】
図１〜図４に示すように、センサシート１は、誘電層２と、表側電極ユニット３と、裏側電極ユニット４と、コネクタ５と、を備えている。コネクタ５は、本発明の「取出部」の概念に含まれる。
【００２１】
（誘電層２、表側電極ユニット３）
誘電層２は、ウレタンフォーム製であって、シート状を呈している。図２に示すように、表側電極ユニット３は、誘電層２の表側に配置されている。図３に示すように、表側電極ユニット３は、表側基材３０と、４本の表側ジャンパー配線層１ｘ〜４ｘと、表側絶縁層３１と、４本の表側電極層１Ｘ〜４Ｘと、表側保護層３２と、を備えている。
【００２２】
表側基材３０は、ポリエチレンテレフタレート（ＰＥＴ）製であって、シート状を呈している。図３に示すように、表側基材３０の下側には、上側から下側に向かって、表側ジャンパー配線層１ｘ〜４ｘ、表側絶縁層３１、表側電極層１Ｘ〜４Ｘ、表側保護層３２が配置されている。
【００２３】
表側絶縁層３１は、シート状を呈している。表側絶縁層３１は、ウレタンゴムと、アンチブロッキング剤としての酸化チタン粒子と、を含んでいる。図３に示すように、表側絶縁層３１には、４つの表側貫通孔３１０が穿設されている。４つの表側貫通孔３１０と、４本の表側電極層１Ｘ〜４Ｘと、は上下方向に対向している。図１に示すように、上側から見て、４つの表側貫通孔３１０は、左から２列目の裏側電極層２Ｙ（コネクタ５に最も近い裏側電極層）に重複するように、前後方向に並んでいる。
【００２４】
図３に示すように、４本の表側ジャンパー配線層１ｘ〜４ｘは、表側絶縁層３１の上面に配置されている。表側ジャンパー配線層１ｘ〜４ｘは、各々、第一配線層３３と、第二配線層３４と、を備えている。第一配線層３３は、表側基材３０の下面に形成されている。第一配線層３３は、アクリルゴムおよび銀粉末を含んでいる。第二配線層３４は、第一配線層３３の下面に形成されている。第二配線層３４は、アクリルゴムおよび導電性カーボンブラックを含んでいる。
【００２５】
４本の表側電極層１Ｘ〜４Ｘは、表側絶縁層３１の下面に配置されている。表側電極層１Ｘ〜４Ｘは、各々、アクリルゴムおよび導電性カーボンブラックを含んでいる。表側電極層１Ｘ〜４Ｘは、各々、左右方向に延在する帯状を呈している。表側電極層１Ｘ〜４Ｘは、前後方向に所定の間隔ずつ離間して、互いに平行に配置されている。
【００２６】
表側ジャンパー配線層１ｘ〜４ｘと、表側電極層１Ｘ〜４Ｘと、は表側貫通孔３１０を介して、電気的に接続されている。詳しくは、表側ジャンパー配線層１ｘは表側電極層１Ｘに、表側ジャンパー配線層２ｘは表側電極層２Ｘに、表側ジャンパー配線層３ｘは表側電極層３Ｘに、表側ジャンパー配線層４ｘは表側電極層４Ｘに、各々、電気的に接続されている。図１に黒点で示すように、上側から見て、表側接点（表側ジャンパー配線層１ｘ〜４ｘと、表側電極層１Ｘ〜４Ｘと、の接点）は、表側貫通孔３１０の径方向内側に配置されている。
【００２７】
図２に示すように、表側保護層３２は、誘電層２の上面に配置されている。表側保護層３２は、下側から表側電極層１Ｘ〜４Ｘおよび表側絶縁層３１を覆っている。表側保護層３２は、ウレタンゴム製であって、シート状を呈している。
【００２８】
（裏側電極ユニット４）
図２に示すように、裏側電極ユニット４は、誘電層２の下側に配置されている。裏側電極ユニット４の構成は、表側電極ユニット３の構成と同じである。すなわち、図４に示すように、裏側電極ユニット４は、裏側基材４０と、４本の裏側ジャンパー配線層１ｙ〜４ｙと、裏側絶縁層４１と、４本の裏側電極層１Ｙ〜４Ｙと、裏側保護層４２と、を備えている。
【００２９】
裏側基材４０と表側基材３０、裏側ジャンパー配線層１ｙ〜４ｙと表側ジャンパー配線層１ｘ〜４ｘ、裏側絶縁層４１と表側絶縁層３１、裏側電極層１Ｙ〜４Ｙと表側電極層１Ｘ〜４Ｘ、裏側保護層４２と表側保護層３２は、各々、材質が同じである。
【００３０】
図３、図４に示すように、裏側電極ユニット４の積層構造（上下方向の配置）は、表側電極ユニット３の積層構造と、上下対称である。すなわち、図４に示すように、裏側基材４０の上側には、下側から上側に向かって、裏側ジャンパー配線層１ｙ〜４ｙ、裏側絶縁層４１、裏側電極層１Ｙ〜４Ｙ、裏側保護層４２が配置されている。
【００３１】
図４に示すように、裏側絶縁層４１には、４つの裏側貫通孔４１０が穿設されている。４つの裏側貫通孔４１０と、４本の裏側電極層１Ｙ〜４Ｙと、は上下方向に対向している。図１に示すように、上側から見て、４つの裏側貫通孔４１０は、前から１列目の表側電極層１Ｘ（コネクタ５に最も近い表側電極層）に重複するように、左右方向に並んでいる。
【００３２】
図４に示すように、裏側ジャンパー配線層１ｙ〜４ｙは、各々、第一配線層４３と、第二配線層４４と、を備えている。裏側電極層１Ｙ〜４Ｙは、各々、前後方向に延在する帯状を呈している。裏側電極層１Ｙ〜４Ｙは、左右方向に所定の間隔ずつ離間して、互いに平行に配置されている。
【００３３】
裏側ジャンパー配線層１ｙ〜４ｙと、裏側電極層１Ｙ〜４Ｙと、は裏側貫通孔４１０を介して、電気的に接続されている。詳しくは、裏側ジャンパー配線層１ｙは裏側電極層１Ｙに、裏側ジャンパー配線層２ｙは裏側電極層２Ｙに、裏側ジャンパー配線層３ｙは裏側電極層３Ｙに、裏側ジャンパー配線層４ｙは裏側電極層４Ｙに、各々、電気的に接続されている。図１に黒点で示すように、上側から見て、裏側接点（裏側ジャンパー配線層１ｙ〜４ｙと、裏側電極層１Ｙ〜４Ｙと、の接点）は、裏側貫通孔４１０の径方向内側に配置されている。
【００３４】
（コネクタ５）
図１に示すように、コネクタ５は、センサシート１の前側に配置されている。コネクタ５には、表側ジャンパー配線層１ｘ〜４ｘと、裏側ジャンパー配線層１ｙ〜４ｙと、が互いに絶縁を確保された状態で、電気的に接続されている。
【００３５】
［検出部、表側検出経路、裏側検出経路］
図１に示すように、上側から見て、表側電極層１Ｘ〜４Ｘと、裏側電極層１Ｙ〜４Ｙと、は格子状に並んでいる。図１にハッチングで示すように、表側電極層１Ｘ〜４Ｘと裏側電極層１Ｙ〜４Ｙとの重複部分には、合計１６個の検出部Ａ（１，１）〜Ａ（４，４）が設定されている。なお、検出部Ａ（○，△）のうち、「○」は表側電極層１Ｘ〜４Ｘに、「△」は裏側電極層１Ｙ〜４Ｙに、各々対応している。
【００３６】
任意の検出部Ａ（１，１）〜Ａ（４，４）とコネクタ５との間には、表側検出経路が設定されている。表側検出経路は、少なくとも表側ジャンパー配線層１ｘ〜４ｘを経由している。例えば、図１に太実線で示すように、検出部Ａ（１，１）とコネクタ５との間には、表側電極層１Ｘの一部と表側ジャンパー配線層１ｘとを経由する、表側検出経路Ｂが設定されている。
【００３７】
同様に、任意の検出部Ａ（１，１）〜Ａ（４，４）とコネクタ５との間には、裏側検出経路が設定されている。裏側検出経路は、少なくとも裏側ジャンパー配線層１ｙ〜４ｙを経由している。例えば、図１に太点線で示すように、検出部Ａ（１，１）とコネクタ５との間には、裏側ジャンパー配線層１ｙだけを経由する、裏側検出経路Ｃが設定されている。
【００３８】
（感圧エリア、不感エリア）
表側電極層１Ｘ〜４Ｘと裏側電極層１Ｙ〜４Ｙとが配置されているエリア（検出部Ａ（１，１）〜Ａ（４，４）が配置されているエリア）は、荷重を検出可能な感圧エリアＤである。一方、図１に一点鎖線ハッチングで示すように、表側電極層１Ｘ〜４Ｘと裏側電極層１Ｙ〜４Ｙとが配置されていないエリア（コネクタ５と、表側ジャンパー配線層１ｘ〜４ｘの一部と、裏側ジャンパー配線層１ｙ〜４ｙの一部と、が配置されているエリア）は、荷重を検出不可能な不感エリアＥである。不感エリアＥは、感圧エリアＤを、面方向（上下方向に対して直交する方向）外側から、枠状に囲んでいる。
【００３９】
［静電容量型センサの構成］
次に、本実施形態の静電容量型センサの構成について説明する。図５（ａ）〜図５（ｄ）に、図１に示すセンサシートから切り取られたセンサ体（その１〜その４）を備える静電容量型センサの透過上面図を示す。なお、表側ジャンパー配線層１ｘ〜４ｘ、表側電極層１Ｘ〜４Ｘを実線で、裏側ジャンパー配線層１ｙ〜４ｙ、裏側電極層１Ｙ〜４Ｙを点線で、表側接点および裏側接点を黒点で、各々示す。図５（ａ）〜図５（ｄ）に示すように、センサ体Ｆは、切取部（一点鎖線で囲む部分）を備えるセンサシート１である。切断前のセンサシート１の面積よりも、切断後のセンサ体Ｆの面積は小さい。
【００４０】
図５（ａ）に示すように、静電容量型センサ７は、センサシート１から切り取られた小四角形状のセンサ体Ｆと、制御部６と、を備えている。センサ体Ｆは、検出部Ａ（１，２）と、コネクタ５と、検出部Ａ（１，２）用の表側検出経路および裏側検出経路と、を備えている。制御部６は、コネクタ５に電気的に接続されている。制御部６は、感圧エリアＤにおける荷重分布を測定する。
【００４１】
検出部Ａ（１，２）用の表側検出経路は、表側ジャンパー配線層１ｘだけを経由している。検出部Ａ（１，２）用の裏側検出経路は、裏側ジャンパー配線層２ｙだけを経由している。
【００４２】
図５（ｂ）に示すように、静電容量型センサ７は、センサシート１から切り取られた帯状のセンサ体Ｆと、制御部６と、を備えている。センサ体Ｆは、検出部Ａ（１，１）〜Ａ（１，４）と、コネクタ５と、検出部Ａ（１，１）〜Ａ（１，４）用の表側検出経路および裏側検出経路と、を備えている。
【００４３】
検出部Ａ（１，１）用の表側検出経路は、表側電極層１Ｘの一部と、表側ジャンパー配線層１ｘと、を経由している。検出部Ａ（１，１）用の裏側検出経路は、裏側ジャンパー配線層１ｙだけを経由している。検出部Ａ（１，２）用の表側検出経路および裏側検出経路は、図５（ａ）同様である。検出部Ａ（１，３）用の表側検出経路は、表側電極層１Ｘの一部と、表側ジャンパー配線層１ｘと、を経由している。検出部Ａ（１，３）用の裏側検出経路は、裏側ジャンパー配線層３ｙだけを経由している。検出部Ａ（１，４）用の表側検出経路は、表側電極層１Ｘの一部と、表側ジャンパー配線層１ｘと、を経由している。検出部Ａ（１，４）用の裏側検出経路は、裏側ジャンパー配線層４ｙだけを経由している。
【００４４】
図５（ｃ）に示すように、静電容量型センサ７は、センサシート１から切り取られた帯状のセンサ体Ｆと、制御部６と、を備えている。センサ体Ｆは、検出部Ａ（１，２）〜Ａ（４，２）と、コネクタ５と、検出部Ａ（１，２）〜Ａ（４，２）用の表側検出経路および裏側検出経路と、を備えている。検出部Ａ（１，２）用の表側検出経路および裏側検出経路は、図５（ａ）同様である。検出部Ａ（２，２）用の表側検出経路は、表側ジャンパー配線層２ｘだけを経由している。検出部Ａ（２，２）用の裏側検出経路は、裏側電極層２Ｙの一部と、裏側ジャンパー配線層２ｙと、を経由している。検出部Ａ（３，２）用の表側検出経路は、表側ジャンパー配線層３ｘだけを経由している。検出部Ａ（３，２）用の裏側検出経路は、裏側電極層２Ｙの一部と、裏側ジャンパー配線層２ｙと、を経由している。検出部Ａ（４，２）用の表側検出経路は、表側ジャンパー配線層４ｘだけを経由している。検出部Ａ（４，２）用の裏側検出経路は、裏側電極層２Ｙの一部と、裏側ジャンパー配線層２ｙと、を経由している。
【００４５】
図５（ｄ）に示すように、静電容量型センサ７は、センサシート１から切り取られた階段状のセンサ体Ｆと、制御部６と、を備えている。センサ体Ｆは、検出部Ａ（１，１）〜Ａ（１，４）、Ａ（２，１）〜Ａ（２，３）、Ａ（３，２）、Ａ（３，３）、Ａ（４，２）と、コネクタ５と、検出部Ａ（１，１）〜Ａ（１，４）、Ａ（２，１）〜Ａ（２，３）、Ａ（３，２）、Ａ（３，３）、Ａ（４，２）用の表側検出経路および裏側検出経路と、を備えている。検出部Ａ（１，１）〜Ａ（１，４）用の表側検出経路および裏側検出経路は、図５（ｂ）同様である。検出部Ａ（２，２）、Ａ（３，２）、Ａ（４，２）用の表側検出経路および裏側検出経路は、図５（ｃ）同様である。検出部Ａ（２，１）用の表側検出経路は、表側電極層２Ｘの一部と、表側ジャンパー配線層２ｘと、を経由している。検出部Ａ（２，１）用の裏側検出経路は、裏側電極層１Ｙの一部と、裏側ジャンパー配線層１ｙと、を経由している。検出部Ａ（２，３）用の表側検出経路は、表側電極層２Ｘの一部と、表側ジャンパー配線層２ｘと、を経由している。検出部Ａ（２，３）用の裏側検出経路は、裏側電極層３Ｙの一部と、裏側ジャンパー配線層３ｙと、を経由している。検出部Ａ（３，３）用の表側検出経路は、表側電極層３Ｘの一部と、表側ジャンパー配線層３ｘと、を経由している。検出部Ａ（３，３）用の裏側検出経路は、裏側電極層３Ｙの一部と、裏側ジャンパー配線層３ｙと、を経由している。
【００４６】
検出部Ａ（１，４）、Ａ（４，２）は、各々、一部が切り取られている。制御部６は、検出部Ａ（１，４）を構成する表側電極層１Ｘの一部、裏側電極層４Ｙの一部の電極面積に応じて、検出部Ａ（１，４）の静電容量に関する電気量（例えば、電圧、電流など）を、補正する。同様に、制御部６は、検出部Ａ（４，２）を構成する表側電極層４Ｘの一部、裏側電極層２Ｙの一部の電極面積に応じて、検出部Ａ（４，２）の静電容量に関する電気量を、補正する。
【００４７】
［静電容量型センサの動き］
次に、本実施形態の静電容量型センサの動きについて、図５（ｂ）を例示しながら、説明する。まず、センサ体Ｆに荷重が加わる前（初期状態）に、表側電極層１Ｘおよび裏側電極層１Ｙ〜４Ｙに電圧を印加し、検出部Ａ（１，１）〜Ａ（１，４）ごとに静電容量を算出する。続いて、センサ体Ｆに荷重が加わった後も同様に、検出部Ａ（１，１）〜Ａ（１，４）ごとに静電容量を算出する。荷重が加わった部分の検出部Ａ（１，１）〜Ａ（１，４）においては、表側電極層１Ｘと裏側電極層１Ｙ〜４Ｙとの距離（電極間距離）が小さくなる。このため、当該検出部Ａ（１，１）〜Ａ（１，４）の静電容量が大きくなる。この静電容量の変化量に基づいて、制御部６は、検出部Ａ（１，１）〜Ａ（１，４）ごとに、荷重を検出する。すなわち、制御部６は、感圧エリアＤにおける荷重分布を測定する。
【００４８】
［作用効果］
次に、本実施形態のセンサシートおよび静電容量型センサの作用効果について説明する。図５（ａ）〜図５（ｄ）に示すように、センサ体Ｆは、少なくとも一つの検出部Ａ（１，１）〜Ａ（４，４）と、コネクタ５と、当該検出部Ａ（１，１）〜Ａ（４，４）用の表側検出経路Ｂおよび裏側検出経路Ｃ（図１参照）と、を備えている。このため、所定の形状等のセンサシート１（共用かつ定形のセンサシート１）から、任意の形状のセンサ体Ｆ、つまり静電容量型センサ７を、切り取ることができる。したがって、形状等が異なる複数の静電容量型センサ７が必要な場合であっても、所望の静電容量型センサ７の形状等に応じて、逐一、当該静電容量型センサ７専用の部材（例えば、印刷により静電容量型センサ７を作製する場合は印刷用の版、成形により静電容量型センサ７を作製する場合は成形用の金型など）を設計、作製する必要がない。すなわち、所望の静電容量型センサ７の形状等に応じて、センサシート１からセンサ体Ｆを切り取るだけで済む。このため、静電容量型センサ７の製造コストを削減することができる。特に、少量多品種の静電容量型センサ７を製造する場合、あるいは静電容量型センサ７の試作品を製造する場合、製造コストを削減することができる。
【００４９】
また、図１〜図４に示すように、本実施形態のセンサシート１によると、表側ジャンパー配線層１ｘ〜４ｘは、表側貫通孔３１０を介して、上側から表側電極層１Ｘ〜４Ｘに接続されている。同様に、裏側ジャンパー配線層１ｙ〜４ｙは、裏側貫通孔４１０を介して、下側から裏側電極層１Ｙ〜４Ｙに接続されている。このため、図５（ａ）〜図５（ｄ）に示すように、切り取り後のセンサ体Ｆにおいて、検出不可能な検出部Ａ（１，１）〜Ａ（４，４）が発生しにくい。したがって、センサ体Ｆの切り取り形状の自由度を高くすることができる。
【００５０】
また、図２〜図４に示すように、本実施形態のセンサシート１によると、表側絶縁層３１を挟んで、表側ジャンパー配線層１ｘ〜４ｘと、表側電極層１Ｘ〜４Ｘと、を上下方向に重複して配置することができる。同様に、裏側絶縁層４１を挟んで、裏側ジャンパー配線層１ｙ〜４ｙと、裏側電極層１Ｙ〜４Ｙと、を上下方向に重複して配置することができる。このため、図１に示すように、センサシート１全体に占める不感エリアＥの割合（面積の割合）を小さくすることができる。すなわち、図５（ａ）〜図５（ｄ）に示すように、切り取り後のセンサ体Ｆ全体に占める不感エリアＥの割合を小さくすることができる。
【００５１】
また、図１に黒点で示すように、上側から見て、コネクタ５に最も近い表側電極層１Ｘに重複するように、４つの裏側接点は配置されている。並びに、上側から見て、コネクタ５に最も近い裏側電極層２Ｙに重複するように、４つの表側接点は配置されている。このため、表側ジャンパー配線層１ｘ〜４ｘ、裏側ジャンパー配線層１ｙ〜４ｙを、コネクタ５に近接して配置することができる。したがって、図５（ａ）〜図５（ｄ）に示すように、センサ体Ｆを切り取る際に、表側ジャンパー配線層１ｘ〜４ｘ、裏側ジャンパー配線層１ｙ〜４ｙが切断されにくい。よって、センサ体Ｆの切り取り形状の自由度を高くすることができる。
【００５２】
また、図５（ｄ）に示すように、本実施形態の静電容量型センサ７によると、切り取り後のセンサ体Ｆが、部分的に切り取られた検出部Ａ（１，４）、Ａ（４，２）を有する場合、制御部６は、検出部Ａ（１，４）、Ａ（４，２）の静電容量に関する電気量を、補正することができる。このため、荷重分布の検出精度を高くすることができる。
【００５３】
また、誘電層２は、ウレタンフォーム製である。表側基材３０、裏側基材４０は、各々、ＰＥＴ製である。表側絶縁層３１、裏側絶縁層４１は、各々、ウレタンゴムを含んでいる。表側ジャンパー配線層１ｘ〜４ｘ、裏側ジャンパー配線層１ｙ〜４ｙ、表側電極層１Ｘ〜４Ｘ、裏側電極層１Ｙ〜４Ｙは、各々、アクリルゴムを含んでいる。表側保護層３２、裏側保護層４２は、ウレタンゴム製である。このように、センサシート１を構成する部材は、発泡体、エラストマー、母材としてエラストマーを含む材料により、製造可能である。このため、センサシート１は柔軟である。したがって、刃物（カッター、ハサミなど）により、センサシート１を簡単に切断することができる。
【００５４】
＜第二実施形態＞
本実施形態のセンサシートと、第一実施形態のセンサシートとの相違点は、表側接点および裏側接点が、全ての検出部に個別に配置されている点である。ここでは、相違点についてのみ説明する。
【００５５】
図６に、本実施形態のセンサシートの透過上面図を示す。なお、図１と対応する部位については、同じ符号で示す。また、表側電極層１Ｘ〜３Ｘ、表側ジャンパー配線層１ｘ〜３ｘを実線で、裏側電極層１Ｙ〜３Ｙ、裏側ジャンパー配線層１ｙ〜３ｙを点線で、表側接点および裏側接点を黒点で、各々示す。
【００５６】
図６に示すように、表側ジャンパー配線層１ｘは、幹線部１ｘ０と、３本の枝線部１ｘ１〜１ｘ３と、を備えている。幹線部１ｘ０の一端は、コネクタ５に電気的に接続されている。枝線部１ｘ１〜１ｘ３は、幹線部１ｘ０の他端から分岐している。枝線部１ｘ１〜１ｘ３は、幹線部１ｘ０と、検出部Ａ（１，１）〜Ａ（１，３）と、を電気的に接続している。残りの表側ジャンパー配線層２ｘ、３ｘ、裏側ジャンパー配線層１ｙ〜３ｙについても、同様である。このように、任意の単一の表側ジャンパー配線層１ｘ〜３ｘは、複数の表側接点を介して、単一の表側電極層１Ｘ〜３Ｘに分岐接続されている。並びに、単一の裏側ジャンパー配線層１ｙ〜３ｙは、複数の裏側接点を介して、単一の裏側電極層１Ｙ〜３Ｙに分岐接続されている。
【００５７】
任意の検出部Ａ（１，１）〜Ａ（３，３）と、コネクタ５と、の間には、表側ジャンパー配線層１ｘ〜３ｘだけを経由する、表側検出経路が設定されている。同様に、任意の検出部Ａ（１，１）〜Ａ（３，３）と、コネクタ５と、の間には、裏側ジャンパー配線層１ｙ〜３ｙだけを経由する、表側検出経路が設定されている。
【００５８】
本実施形態のセンサシート１と、第一実施形態のセンサシートとは、構成が共通する部分に関しては、同様の作用効果を有する。本実施形態のセンサシート１によると、全ての検出部Ａ（１，１）〜Ａ（３，３）は、各々、表側ジャンパー配線層１ｘ〜３ｘおよび裏側ジャンパー配線層１ｙ〜３ｙに、直接、接続されている。このため、センサシート１からセンサ体Ｆを切り取る際に、表側電極層１Ｘ〜３Ｘや裏側電極層１Ｙ〜３Ｙが切断された場合であっても、当該センサ体Ｆの検出部Ａ（１，１）〜Ａ（３，３）用の表側検出経路、裏側検出経路を確保しやすい。
【００５９】
＜第三実施形態＞
本実施形態のセンサシートと、第一実施形態のセンサシートとの相違点は、不感エリアが複数のコネクタを備えている点である。ここでは、相違点についてのみ説明する。図７に、本実施形態のセンサシートの透過上面図を示す。なお、図１と対応する部位については、同じ符号で示す。図７に示すように、センサシート１の四辺（四縁）には、各々、コネクタ５が配置されている。例えば、センサシート１前辺のコネクタ５は、左右方向（前辺の延在方向）に沿って配置される四つ検出部Ａ（１，１）〜Ａ（１，４）のうち、中央の二つの検出部Ａ（１，２）、Ａ（１，３）に対応する区間Ｇ内に配置されている。残りのコネクタ５についても、同様である。複数のコネクタ５は、各々、全ての検出部Ａ（１，１）〜Ａ（４，４）に、電気的に接続されている。
【００６０】
センサシート１前辺のコネクタ５の後側には、最前列の表側電極層１Ｘが配置されている。上側から見て、表側電極層１Ｘには、複数の裏側接点（図７に示す裏側貫通孔４１０内の黒点）が、重複して配置されている。これら複数の裏側接点は、センサシート１前辺のコネクタ５に、電気的に接続されている。これら複数の裏側接点は、表側電極層１Ｘの前後方向（幅方向）両縁のうち、前縁（コネクタ５に近い方の縁、つまり近縁）に沿って、配置されている。
【００６１】
同様に、センサシート１後辺のコネクタ５の前側には、最後列の表側電極層４Ｘが配置されている。表側電極層４Ｘに重複して配置されている複数の裏側接点は、センサシート１後辺のコネクタ５に、電気的に接続されている。これら複数の裏側接点は、表側電極層４Ｘの前後方向両縁のうち、後縁（近縁）に沿って、配置されている。
【００６２】
同様に、センサシート１左辺のコネクタ５の右側には、最左列の裏側電極層１Ｙが配置されている。裏側電極層１Ｙに重複して配置されている複数の表側接点（図７に示す表側貫通孔３１０内の黒点）は、センサシート１左辺のコネクタ５に、電気的に接続されている。これら複数の表側接点は、裏側電極層１Ｙの左右方向（幅方向）両縁のうち、左縁（近縁）に沿って、配置されている。
【００６３】
同様に、センサシート１右辺のコネクタ５の左側には、最右列の裏側電極層４Ｙが配置されている。裏側電極層４Ｙに重複して配置されている複数の表側接点は、センサシート１右辺のコネクタ５に、電気的に接続されている。これら複数の表側接点は、裏側電極層４Ｙの左右方向両縁のうち、右縁（近縁）に沿って、配置されている。
【００６４】
図８に、図７の枠ＶＩＩＩ内の拡大図を示す。センサシート１前辺のコネクタ５に電気的に接続されている全ての表側ジャンパー配線層１ｘ〜４ｘおよび裏側ジャンパー配線層１ｙ〜４ｙを、共通配線群Ｈとする。共通配線群Ｈは、並列部ｈを備えている。並列部ｈの前側（延在方向一方）には、コネクタ５が配置されている。並列部ｈの後側（延在方向他方）には、裏側電極層２Ｙが配置されている。裏側電極層２Ｙは、本発明の「基準電極層」の概念に含まれる。裏側電極層２Ｙは、前後方向（並列部ｈの延在方向と同方向）に延在している。並列部ｈの左右方向幅ｗ１は、裏側電極層２Ｙの左右方向幅ｗ２以下である。残りのコネクタ５に接続されている共通配線群についても、同様である。
【００６５】
図９（ａ）、図９（ｂ）に、図７に示すセンサシートから切り取られたセンサ体（その１、その２）を備える静電容量型センサの透過上面図を示す。なお、表側ジャンパー配線層１ｘ〜４ｘ、表側電極層１Ｘ〜４Ｘを実線で、裏側ジャンパー配線層１ｙ〜４ｙ、裏側電極層１Ｙ〜４Ｙを点線で、表側接点および裏側接点を黒点で、各々示す。
【００６６】
図９（ａ）に示すように、静電容量型センサ７は、センサシート１から切り取られた四角形枠状のセンサ体Ｆと、制御部６と、を備えている。センサ体Ｆは、検出部Ａ（１，１）〜Ａ（４，４）と、四つのコネクタ５と、検出部Ａ（１，１）〜Ａ（４，４）用の表側検出経路および裏側検出経路と、を備えている。制御部６は、四つのコネクタ５に電気的に接続されている。制御部６は、感圧エリアＤにおける荷重分布を測定する。
【００６７】
ここで、検出部Ａ（１，１）に着目すると、検出部Ａ（１，１）は、センサ体Ｆ左辺のコネクタ５に、電気的に接続されている。具体的には、検出部Ａ（１，１）は、表側検出経路（表側ジャンパー配線層４ｘ）、裏側検出経路（裏側ジャンパー配線層４ｙ、裏側電極層１Ｙ）を介して、センサ体Ｆ左辺のコネクタ５に、電気的に接続されている。並びに、検出部Ａ（１，１）は、センサ体Ｆの前辺のコネクタ５に、電気的に接続されている。具体的には、検出部Ａ（１，１）は、表側検出経路（表側ジャンパー配線層１ｘ、表側電極層１Ｘ）、裏側検出経路（裏側ジャンパー配線層１ｙ）を介して、センサ体Ｆ前辺のコネクタ５に、電気的に接続されている。並びに、検出部Ａ（１，１）は、センサ体Ｆの後辺のコネクタ５に、電気的に接続されている。具体的には、検出部Ａ（１，１）は、裏側検出経路（裏側ジャンパー配線層４ｙ、裏側電極層１Ｙ）を介して、センサ体Ｆ後辺のコネクタ５に、電気的に接続されている。並びに、検出部Ａ（１，１）は、センサ体Ｆの右辺のコネクタ５に、電気的に接続されている。具体的には、検出部Ａ（１，１）は、表側検出経路（表側ジャンパー配線層１ｘ、表側電極層１Ｘ）を介して、センサ体Ｆ右辺のコネクタ５に、電気的に接続されている。
【００６８】
このように、単一の検出部Ａ（１，１）は、複数のコネクタ５に電気的に接続されている。このため、制御部６には、同一の検出部Ａ（１，１）から、複数のコネクタ５経由で、電気量（具体的には、表側電気量（表側検出経路経由の電気量）、裏側電気量（裏側検出経路経由の電気量））が入力される。制御部６は、複数の表側電気量の中から、いずれか一つの表側電気量を選択する。並びに、制御部６は、複数の裏側電気量の中から、いずれか一つの裏側電気量を選択する。例えば、制御部６は、センサ体Ｆ左辺のコネクタ５経由で入力される表側電気量および裏側電気量を選択する。また、制御部６は、センサ体Ｆ前辺のコネクタ５経由で入力される表側電気量および裏側電気量を選択する。また、制御部６は、センサ体Ｆ後辺のコネクタ５経由で入力される裏側電気量、およびセンサ体Ｆ右辺のコネクタ５経由で入力される表側電気量を選択する。制御部６は、選択した表側電気量および裏側電気量を基に、検出部Ａ（１，１）の静電容量、つまり荷重を算出する。他の検出部（複数のコネクタ５に電気的に接続されている単一の検出部）についても同様である。
【００６９】
図９（ｂ）に示すように、単一のセンサシート１からは、四つの静電容量型センサ７を製造することができる。四つの静電容量型センサ７は、各々、三角形状のセンサ体Ｆと、制御部６と、を備えている。
【００７０】
本実施形態のセンサシート１と、第一実施形態のセンサシートとは、構成が共通する部分に関しては、同様の作用効果を有する。仮に、図１５に示す従来の静電容量型センサ１００から図９（ａ）に示す静電容量型センサ７を製造する場合を想定する。この場合、図９（ａ）の静電容量型センサ７の四辺に対応するように、四つの切取物（各々、静電容量型センサ１００から切り取られる（図１６参照））を合体させる必要がある（ただし、当該合体方法は従来技術ではない）。このため、単一の静電容量型センサ７を得るのに、合計４つの静電容量型センサ１００が必要になる。この点、図７に示すように、本実施形態のセンサシート１の不感エリアＥは、複数のコネクタ５を備えている。並びに、複数のコネクタ５は、各々、全ての検出部Ａ（１，１）〜Ａ（４，４）に、電気的に接続されている。このため、図９（ａ）に示すように、単一のセンサシート１から、枠状（無端環状）のセンサ体Ｆを切り取ることができる。
【００７１】
また、図９（ｂ）に示すように、単一のセンサシート１から、コネクタ５ごとに、複数のセンサ体Ｆを切り取ることができる。このため、単一のセンサシート１から単一のセンサ体Ｆを切り取る場合と比較して、センサシート１の切除部分（廃棄部分）を削減することができる。したがって、センサ体Ｆ、延いては静電容量型センサ７の製造コストを削減することができる。
【００７２】
また、図７に示すように、センサシート１前辺において、上側（表側）または下側（裏側）から見て、複数の裏側接点は、自身が電気的に接続されているセンサシート１前辺のコネクタ５に最も近い表側電極層１Ｘに重複するように、かつ表側電極層１Ｘの前縁（近縁）に沿って配置されている。このため、静電容量型センサ７（詳しくは、センサシート１前辺のコネクタ５を備える静電容量型センサ７）切り取り時の検出部Ａ（１，１）〜Ａ（１，４）の切り取り形状、切り取り面積の選択の自由度が高い。
【００７３】
同様に、センサシート１後辺において、上側または下側から見て、複数の裏側接点は、自身が電気的に接続されているセンサシート１後辺のコネクタ５に最も近い表側電極層４Ｘに重複するように、かつ表側電極層４Ｘの後縁（近縁）に沿って配置されている。このため、静電容量型センサ７（詳しくは、センサシート１後辺のコネクタ５を備える静電容量型センサ７）切り取り時の検出部Ａ（４，１）〜Ａ（４，４）の切り取り形状、切り取り面積の選択の自由度が高い。
【００７４】
同様に、センサシート１左辺において、上側または下側から見て、複数の表側接点は、自身が電気的に接続されているセンサシート１左辺のコネクタ５に最も近い裏側電極層１Ｙに重複するように、かつ裏側電極層１Ｙの左縁（近縁）に沿って配置されている。このため、静電容量型センサ７（詳しくは、センサシート１左辺のコネクタ５を備える静電容量型センサ７）切り取り時の検出部Ａ（１，１）〜Ａ（４，１）の切り取り形状、切り取り面積の選択の自由度が高い。
【００７５】
同様に、センサシート１右辺において、上側または下側から見て、複数の表側接点は、自身が電気的に接続されているセンサシート１右辺のコネクタ５に最も近い裏側電極層４Ｙに重複するように、かつ裏側電極層４Ｙの右縁（近縁）に沿って配置されている。このため、静電容量型センサ７（詳しくは、センサシート１右辺のコネクタ５を備える静電容量型センサ７）切り取り時の検出部Ａ（１，４）〜Ａ（４，４）の切り取り形状、切り取り面積の選択の自由度が高い。
【００７６】
また、図８に示すように、任意のコネクタ５に電気的に接続されている全ての表側ジャンパー配線層１ｘ〜４ｘおよび裏側ジャンパー配線層１ｙ〜４ｙを、共通配線群Ｈとして、共通配線群Ｈは、全ての表側ジャンパー配線層１ｘ〜４ｘおよび裏側ジャンパー配線層１ｙ〜４ｙが互いに平行に並ぶ並列部ｈを備えている。並列部ｈの延在方向一方（センサシート１の面方向外側）には、並列部ｈが連なるコネクタ５が配置されている。並びに、並列部ｈの延在方向他方（センサシート１の面方向内側）には、並列部ｈと同方向に延在する表側電極層１Ｘ〜４Ｘまたは裏側電極層１Ｙ〜４Ｙである基準電極層２Ｙが配置されている。並列部ｈの幅ｗ１は、基準電極層２Ｙの幅ｗ２以下である。このため、静電容量型センサ７（詳しくは、基準電極層２Ｙの少なくとも一部を備える静電容量型センサ７）切り取り時に、並列部ｈが断線しにくい。
【００７７】
また、図７に示すように、センサシート１前辺のコネクタ５は、左右方向（前辺の延在方向）に沿って配置される四つ（偶数）の検出部Ａ（１，１）〜Ａ（１，４）のうち、中央の二つの検出部Ａ（１，２）、Ａ（１，３）に対応する区間Ｇ内に配置されている。このため、センサシート１前辺のコネクタ５の左側、右側、左右両側のいずれからも、自在に静電容量型センサ７を切り取ることができる。他のコネクタ５についても同様である。したがって、静電容量型センサ７の切り取り形状、切り取り面積の選択の自由度が高い。
【００７８】
また、図７に示すように、表側電極ユニット３と裏側電極ユニット４とは構成が同じである。具体的には、裏側電極ユニット４は、表側電極ユニット３を上下反転させ、水平面内において９０°回転させたものである。このため、表側電極ユニット３と裏側電極ユニット４との構成が異なる場合と比較して、部品点数が少なくなる。
【００７９】
＜第四実施形態＞
本実施形態のセンサシートと、第一実施形態のセンサシートとの相違点は、センサシートにスリットを入れることにより、センサ体が作製されている点である。ここでは、相違点についてのみ説明する。
【００８０】
図１０に、本実施形態のセンサシートの透過上面図を示す。図１１に、同センサシートの表側電極ユニットの透過上面図を示す。図１２に、同センサシートの裏側電極ユニットの透過上面図を示す。なお、図１と対応する部位については、同じ符号で示す。また、図１０〜図１２においては、表側接点および裏側接点を黒点で示す。図１０においては、表側電極層１Ｘ〜４Ｘ、表側ジャンパー配線層１ｘ〜４ｘを実線で、裏側電極層１Ｙ〜４Ｙ、裏側ジャンパー配線層１ｙ〜４ｙを点線で、各々示す。
【００８１】
図１０〜図１２に示すように、センサ体Ｆは、左右一対のスリットＳＬ、ＳＲを備えるセンサシート１である。切断前（スリットＳＬ、ＳＲ形成前）のセンサシート１の面積と、切断後（スリットＳＬ、ＳＲ形成後）のセンサ体Ｆの面積と、は等しい。
【００８２】
センサシート１の左辺からは、右側に向かってスリットＳＬが形成されている。スリットＳＬは、センサシート１を上下方向に貫通している。図１１に示すように、スリットＳＬは、表側ジャンパー配線層１ｘを、切断している。図１２に示すように、スリットＳＬは、裏側電極層１Ｙを、切断している。
【００８３】
同様に、センサシート１の右辺からは、左側に向かってスリットＳＲが形成されている。スリットＳＲは、センサシート１を上下方向に貫通している。図１１に示すように、スリットＳＲは、表側ジャンパー配線層１ｘを、切断している。図１２に示すように、スリットＳＲは、裏側電極層４Ｙを、切断している。
【００８４】
図１３に、本実施形態の静電容量型センサの配置図を示す。図１３に示すように、配置対象物９０は、立体物である。配置対象物９０は、箱部９００と、蓋部９０１と、を備えている。箱部９００に対して、蓋部９０１は、ヒンジ部９０２を中心に、開閉可能（揺動可能）である。図１３にハッチングで示すように、静電容量型センサ７のセンサ体Ｆは、箱部９００の前面、左面、右面、および蓋部９０１の前面、左面、右面に、配置されている。スリットＳＬ、ＳＲは、配置対象物９０の開口部９０３に対応して、配置されている。
【００８５】
本実施形態のセンサシート１と、第一実施形態のセンサシートとは、構成が共通する部分に関しては、同様の作用効果を有する。本実施形態の静電容量型センサ７によると、スリットＳＬ、ＳＲにより、一部のジャンパ−配線層、電極層が切断されているにもかかわらず、全ての検出部Ａ（１，１）〜Ａ（４，４）と、コネクタ５と、の導通を確保することができる。
【００８６】
また、図１３に示すように、本実施形態の静電容量型センサ７によると、配置対象物９０が可動部（蓋部９０１）を備える場合であっても、スリットＳＬ、ＳＲにより、可動部の動きに追従するように、センサ体Ｆを配置することができる。すなわち、配置対象物９０の可動性を確保することができる。
【００８７】
＜その他＞
以上、本発明のセンサシートおよび静電容量型センサの実施の形態について説明した。しかしながら、実施の形態は上記形態に特に限定されるものではない。当業者が行いうる種々の変形的形態、改良的形態で実施することも可能である。
【００８８】
図１に示すセンサシート１の形状等は特に限定しない。また、センサシート１に、コネクタ５を配置しなくてもよい。この場合、表側ジャンパー配線層１ｘ〜４ｘ、裏側ジャンパー配線層１ｙ〜４ｙの端部は、本発明の「取出部」の概念に含まれる。また、表側ジャンパー配線層１ｘ〜４ｘ専用の表側用コネクタと、裏側ジャンパー配線層１ｙ〜４ｙ専用の裏側用コネクタと、を別々に配置してもよい。この場合、表側用コネクタおよび裏側用コネクタが、本発明の「取出部」の概念に含まれる。また、センサシート１に、表側基材３０、裏側基材４０、表側保護層３２、裏側保護層４２のうち、少なくとも一つを配置しなくてもよい。
【００８９】
表側電極層１Ｘ〜４Ｘ、裏側電極層１Ｙ〜４Ｙの本数、形状等は特に限定しない。表側電極層１Ｘ〜４Ｘの本数と、裏側電極層１Ｙ〜４Ｙの本数と、が異なっていてもよい。表側電極層１Ｘ〜４Ｘの形状等と、裏側電極層１Ｙ〜４Ｙの形状等と、が異なっていてもよい。
【００９０】
表側電極層１Ｘ〜４Ｘと裏側電極層１Ｙ〜４Ｙとの交差方向は特に限定しない。図１４に、その他の実施形態のセンサシートの透過上面図を示す。なお、図１と対応する部位については、同じ符号で示す。また、表側ジャンパー配線層、表側電極層１Ｘ〜４Ｘを実線で、裏側ジャンパー配線層、裏側電極層１Ｙ〜４Ｙを点線で、表側接点および裏側接点を黒点で、各々示す。図１４に示すように、複数の表側電極層１Ｘ〜４Ｘは、各々、無端環状（円形）を呈している。表側電極層１Ｘ〜４Ｘは、各々、周方向に延在している。表側電極層１Ｘ〜４Ｘは、同心円状に配置されている。複数の裏側電極層１Ｙ〜４Ｙは、各々、直線帯状を呈している。裏側電極層１Ｙ〜４Ｙは、各々、径方向に延在している。裏側電極層１Ｙ〜４Ｙは、表側電極層１Ｘ〜４Ｘの同心円の中心に対して、９０°ずつ離間して配置されている。本実施形態のように、上側（表側）または下側（裏側）から見て、周方向に延在する表側電極層１Ｘ〜４Ｘと、径方向に延在する裏側電極層１Ｙ〜４Ｙと、が互いに交差していてもよい。このように、表側電極層１Ｘ〜４Ｘと裏側電極層１Ｙ〜４Ｙとの交差方向は特に限定しない。
【００９１】
任意の単一の表側ジャンパー配線層１ｘ〜３ｘは、複数の表側電極層１Ｘ〜３Ｘに分岐接続されていてもよい。並びに、単一の裏側ジャンパー配線層１ｙ〜３ｙは、複数の裏側電極層１Ｙ〜３Ｙに分岐接続されていてもよい。
【００９２】
検出部Ａ（１，１）〜Ａ（４，４）の配置数、形状等は特に限定しない。切断可能なセンサ体Ｆの形状（切り取り後のセンサ体Ｆの全ての検出部Ａ（１，１）〜Ａ（４，４）とコネクタ５との間に表側検出経路、裏側検出経路を確保できるように、センサシート１を切断できる形状）を示す切取線を、センサシート１の表面や裏面に、配置してもよい。なお、当該切取線は、表側電極層１Ｘ〜４Ｘ、表側ジャンパー配線層１ｘ〜４ｘ、裏側電極層１Ｙ〜４Ｙ、裏側ジャンパー配線層１ｙ〜４ｙのうち、少なくとも一つを遮断している場合がある。
【００９３】
図５（ａ）〜図５（ｄ）に示すように、切り取り後のセンサ体Ｆの外縁には、表側電極層１Ｘ〜４Ｘ、表側ジャンパー配線層１ｘ〜４ｘ、裏側電極層１Ｙ〜４Ｙ、裏側ジャンパー配線層１ｙ〜４ｙのうち、少なくとも一つの切断跡が残っている場合がある。当該切断跡を観察することにより、当該センサ体Ｆがセンサシート１から切り取られたことを、確認することができる。同様に、切り取り後のセンサ体Ｆの外縁には、誘電層２、表側電極ユニット３、裏側電極ユニット４、コネクタ５のうち、少なくとも一つの切断跡が残っている場合がある。当該切断跡を観察することにより、当該センサ体Ｆがセンサシート１から切り取られたことを、確認することができる。
【００９４】
表側ジャンパー配線層１ｘ〜４ｘを構成する層（第一配線層３３、第二配線層３４）の数は特に限定しない。単層でも、三層以上でもよい。裏側ジャンパー配線層１ｙ〜４ｙについても同様である。
【００９５】
図９（ａ）においては、任意の検出部Ａ（１，１）が、複数のコネクタ５経由で、制御部６に電気的に接続されている場合、制御部６が、複数の表側電気量および裏側電気量の中から、表側電気量および裏側電気量を一つずつ選択した。しかしながら、不要の表側検出経路、裏側検出経路を制御部に電気的に接続しないことにより、表側電気量および裏側電気量を選択してもよい。例えば、不要の表側検出経路、裏側検出経路を断線してもよい。また、不要の表側検出経路、裏側検出経路が接続されたコネクタ５を、制御部６に接続しなければよい。また、不要の表側検出経路、裏側検出経路が接続されたコネクタ５を、センサ体Ｆから切除してもよい。
【００９６】
図７に示すように、センサシート１前辺のコネクタ５は、左右方向（前辺の延在方向）に沿って配置される四つ（偶数）の検出部Ａ（１，１）〜Ａ（１，４）のうち、中央の二つの検出部Ａ（１，２）、Ａ（１，３）に対応する区間Ｇ内に配置されている。しかしながら、図６に示すように、左右方向（前辺の延在方向）に沿って配置される検出部Ａ（１，１）〜Ａ（１，３）が三つ（奇数）の場合は、中央の単一の検出部Ａ（１，２）に対応する区間内に、コネクタ５を配置してもよい。こうすると、図６において、センサシート１前辺のコネクタ５の左側、右側、左右両側のいずれからも、自在に静電容量型センサ７を切り取ることができる。
【００９７】
切り取り後の静電容量型センサ７におけるコネクタ５の残留数は特に限定しない。センサシート１におけるコネクタ５の配置数と同数でもよい。また、単一でもよい。また、静電容量型センサ７切り取り時に、コネクタ５を部分的に切断してもよい。例えば、図７に示すセンサシート１前辺のコネクタ５のうち、裏側ジャンパー配線層１ｙ〜４ｙが接続されている部分だけを、静電容量型センサ７に残してもよい。並びに、センサシート１左辺のコネクタ５のうち、表側ジャンパー配線層１ｘ〜４ｘが接続されている部分だけを、静電容量型センサ７に残してもよい。こうすると、コネクタ５各々を小型化することができる。
【００９８】
単一のセンサシート１におけるコネクタ５の配置数は特に限定しない。また、単一のセンサシート１の一縁（一辺）におけるコネクタ５の配置数も特に限定しない。例えば、図７に示すセンサシート１前辺に、複数のコネクタ５を配置してもよい。また、図７に示すセンサシート１左辺に、コネクタ５を配置しなくてもよい。
【００９９】
また、複数のコネクタ５の各々が、全ての検出部Ａ（１，１）〜Ａ（４，４）に、電気的に接続されていなくてもよい。例えば、図７に示す四つのコネクタ５のうち、二つのコネクタ５が検出部Ａ（１，１）〜Ａ（２，４）に、残りの二つのコネクタ５が検出部Ａ（３，１）〜Ａ（４，４）に、各々電気的に接続されていてもよい。
【０１００】
図７に示すように、センサシート１前辺においては、上側または下側から見て、複数の裏側接点を、自身が電気的に接続されているセンサシート１前辺のコネクタ５に最も近い表側電極層１Ｘに重複するように、かつ表側電極層１Ｘの前縁（近縁）に沿って配置した。しかしながら、複数の裏側接点を、表側電極層１Ｘの幅方向（前後方向）中央よりも前側部分に、配置してもよい。こうすると、検出部Ａ（１，１）〜Ａ（１，４）の幅方向中央よりも後側部分を、自在に切断することができる。
【０１０１】
同様に、センサシート１後辺においては、上側または下側から見て、複数の裏側接点を、自身が電気的に接続されているセンサシート１後辺のコネクタ５に最も近い表側電極層４Ｘに重複するように、かつ表側電極層４Ｘの後縁（近縁）に沿って配置した。しかしながら、複数の裏側接点を、表側電極層４Ｘの幅方向（前後方向）中央よりも後側部分に、配置してもよい。こうすると、検出部Ａ（４，１）〜Ａ（４，４）の幅方向中央よりも前側部分を、自在に切断することができる。
【０１０２】
同様に、センサシート１左辺においては、上側または下側から見て、複数の表側接点を、自身が電気的に接続されているセンサシート１左辺のコネクタ５に最も近い裏側電極層１Ｙに重複するように、かつ裏側電極層１Ｙの左縁（近縁）に沿って配置した。しかしながら、複数の表側接点を、裏側電極層１Ｙの幅方向（左右方向）中央よりも左側部分に、配置してもよい。こうすると、検出部Ａ（１，１）〜Ａ（４，１）の幅方向中央よりも右側部分を、自在に切断することができる。
【０１０３】
同様に、センサシート１右辺においては、上側または下側から見て、複数の表側接点を、自身が電気的に接続されているセンサシート１右辺のコネクタ５に最も近い裏側電極層４Ｙに重複するように、かつ裏側電極層４Ｙの右縁（近縁）に沿って配置した。しかしながら、複数の表側接点を、裏側電極層４Ｙの幅方向（左右方向）中央よりも右側部分に、配置してもよい。こうすると、検出部Ａ（１，４）〜Ａ（４，４）の幅方向中央よりも左側部分を、自在に切断することができる。
【０１０４】
単一のセンサシート１から切り取り可能なセンサ体Ｆの数、大きさ、形状等は特に限定しない。図９（ｂ）に示すように、単一のセンサシート１から、同じ大きさかつ同じ形状の複数のセンサ体Ｆを、切り取ってもよい。また、単一のセンサシート１から、異なる大きさ、異なる形状の複数のセンサ体Ｆを、切り取ってもよい。
【０１０５】
図１０、図１３に示すように、センサシート１の切断位置（スリットＳＬ、ＳＲ形成位置）が予め切断位置が決まっている場合は、当該切断位置を回避するように、センサシート１にジャンパ−配線層、電極層を配置してもよい。また、センサシート１に、切断可能エリア（切断しても、全ての検出部Ａ（１，１）〜Ａ（４，４）と、コネクタ５と、の導通を確保できるエリア）を、設定してもよい。また、例えば、文字、図形、記号、色彩などを用いて、センサシート１に、切断可能エリアを表示してもよい。
【０１０６】
図１０に示すセンサ体Ｆを、図１３に示す配置対象物９０の全面に配置してもよい。この場合、センサシート１の一部を切り取ってもよい。この場合、センサ体Ｆは、スリットＳＬ、ＳＲと、切取部と、を備えるセンサシート１に相当する。こうすると、配置対象物９０の立体形状に沿って、センサ体Ｆを配置しやすい。
【０１０７】
図１０に示すスリットＳＬ、ＳＲを、センサシート１の前辺、後辺に配置してもよい。また、スリットＳＬ、ＳＲは、センサシート１の外縁（前後左右の辺）に開口しなくてもよい。また、スリットＳＬ、ＳＲを、センサシート１の上面、下面に配置してもよい。すなわち、上下方向に延在する溝状（ノッチ状）のスリットを、センサシート１に配置してもよい。こうすると、配置対象物９０が角部（例えば、箱部９００の前面と右面との間の角部）を有する場合、当該角部に沿ってセンサ体Ｆを曲げやすい（あるいは折りやすい）。
【０１０８】
表側電極層１Ｘ〜４Ｘ、表側絶縁層３１、表側ジャンパー配線層１ｘ〜４ｘ、表側保護層３２、裏側電極層１Ｙ〜４Ｙ、裏側絶縁層４１、裏側ジャンパー配線層１ｙ〜４ｙ、裏側保護層４２の形成方法は、特に限定しない。スクリーン印刷、インクジェット印刷、フレキソ印刷、グラビア印刷、パッド印刷、リソグラフィー、転写法などにより形成してもよい。
【０１０９】
表側電極層１Ｘ〜４Ｘ、表側ジャンパー配線層１ｘ〜４ｘ、裏側電極層１Ｙ〜４Ｙ、裏側ジャンパー配線層１ｙ〜４ｙは、柔軟で伸縮性を有するという観点から、エラストマーおよび導電材を含んで構成するとよい。エラストマーとしては、ウレタンゴム、アクリルゴム、シリコーンゴム、エチレン−プロピレン共重合ゴム、天然ゴム、スチレン−ブタジエン共重合ゴム、アクリロニトリル−ブタジエン共重合ゴム（ニトリルゴム）、エピクロロヒドリンゴム、クロロスルホン化ポリエチレン、塩素化ポリエチレンなどが好適である。導電材としては、銀、金、銅、ニッケル、ロジウム、パラジウム、クロム、チタン、白金、鉄、およびこれらの合金などからなる金属粒子、酸化亜鉛、酸化チタンなどからなる金属酸化物粒子、チタンカーボネートなどからなる金属炭化物粒子、銀、金、銅、白金、およびニッケルなどからなる金属ナノワイヤ、導電性カーボンブラック、カーボンナノチューブ、グラファイト、およびグラフェンなどの導電性炭素材料の中から、適宜選択すればよい。これらの一種を単独で、あるいは二種以上を混合して用いることができる。
【０１１０】
表側基材３０、裏側基材４０としては、ＰＥＴ、ポリエチレンナフタレート（ＰＥＮ）、ポリイミド、ポリエチレンなどの樹脂フィルム、エラストマーシート、伸縮布などが好適である。表側保護層３２、裏側保護層４２としては、柔軟性や引張永久歪みなどを考慮して、ウレタンゴム、アクリルゴム、シリコーンゴム、エチレン−プロピレン共重合ゴム、天然ゴム、スチレン−ブタジエン共重合ゴム、ニトリルゴム、水素化ニトリルゴム、エピクロロヒドリンゴム、クロロスルホン化ポリエチレン、塩素化ポリエチレンなどが好適である。
【０１１１】
誘電層２としては、比誘電率が比較的大きいエラストマーまたは樹脂を用いるとよい（発泡体を含む）。例えば、比誘電率が５以上（測定周波数１００Ｈｚ）のものが好適である。このようなエラストマーとしては、ウレタンゴム、シリコーンゴム、ニトリルゴム、水素化ニトリルゴム、アクリルゴム、天然ゴム、イソプレンゴム、エチレン−プロピレン共重合ゴム、ブチルゴム、スチレン−ブタジエンゴム、フッ素ゴム、エピクロルヒドリンゴム、クロロプレンゴム、塩素化ポリエチレン、クロロスルホン化ポリエチレンなどが挙げられる。また、樹脂としては、ポリエチレン、ポリプロピレン、ポリウレタン、ポリスチレン(架橋発泡ポリスチレンを含む)、ポリ塩化ビニル、塩化ビニリデン共重合体、エチレン−酢酸ビニル共重合体、エチレン−酢酸ビニル−アクリル酸エステル共重合体などが挙げられる。表側絶縁層３１、裏側絶縁層４１の材質についても同様である。また、誘電層２、表側絶縁層３１、裏側絶縁層４１は、気体（空気、窒素など）、液体（オイルなど）などであってもよい。例えば、誘電層２、表側絶縁層３１、裏側絶縁層４１として、気体や液体が充填された袋を配置してもよい。また、積層方向に延在し面方向に複数配置される支柱により（言い換えると、支柱により確保される気体層により）、誘電層２、表側絶縁層３１、裏側絶縁層４１を設定してもよい。こうすると、「固体」の誘電層２、表側絶縁層３１、裏側絶縁層４１は不要になる。
【０１１２】
本発明のセンサシートから切り出されたセンサ体Ｆの用途は、特に限定しない。例えば、ロボットの所望の部分（アーム部など）に巻装することにより、巻装部分の荷重分布を測定することができる。また、インソールセンサとして靴底に敷設することにより、足裏の荷重分布を測定することができる。
【符号の説明】
【０１１３】
１：センサシート、１Ｘ〜４Ｘ：表側電極層、１Ｙ〜４Ｙ：裏側電極層、１ｘ〜４ｘ：表側ジャンパー配線層、１ｘ０：幹線部、１ｘ１〜１ｘ３：枝線部、１ｙ〜４ｙ：裏側ジャンパー配線層、２：誘電層、３：表側電極ユニット、３０：表側基材、３１：表側絶縁層、３１０：表側貫通孔、３２：表側保護層、３３：第一配線層、３４：第二配線層、４：裏側電極ユニット、４０：裏側基材、４１：裏側絶縁層、４１０：裏側貫通孔、４２：裏側保護層、４３：第一配線層、４４：第二配線層、５：コネクタ（取出部）、６：制御部、７：静電容量型センサ、９０：配置対象物、９００：箱部、９０１：蓋部、９０２：ヒンジ部、９０３：開口部
Ａ（１，１）〜Ａ（４，４）：検出部、Ｂ：表側検出経路、Ｃ：裏側検出経路、Ｄ：感圧エリア、Ｅ：不感エリア、Ｆ：センサ体、Ｈ：共通配線群、ＳＬ：スリット、ＳＲ：スリット、ｈ：並列部
【図１】
2017146142.tif 000003
【図２】
2017146142.tif 000004
【図３】
2017146142.tif 000005
【図４】
2017146142.tif 000006
【図５】
2017146142.tif 000007
【図６】
2017146142.tif 000008
【図７】
2017146142.tif 000009
【図８】
2017146142.tif 000010
【図９】
2017146142.tif 000011
【図１０】
2017146142.tif 000012
【図１１】
2017146142.tif 000013
【図１２】
2017146142.tif 000014
【図１３】
2017146142.tif 000015
【図１４】
2017146142.tif 000016
【図１５】
2017146142.tif 000017
【図１６】
2017146142.tif 000018
【国際調査報告】
2017146142.tif 000019
2017146142.tif 000020
2017146142.tif 000021
2017146142.tif 000022